(57)【要約】【課題】コインを高精度で選別して被駆動部材を駆動することができ、且つ、コインが詰まりにくく、低コストで汎用性が高いコイン収受装置を提供する。【解決手段】コイン収受装置１０は、略垂直に配置された固定壁１２と、コイン１４をその径方向両端部近傍において下方から支持して係止するように、該コインの基準直径Ｄｓよりも僅かに小さい間隔ｄで水平方向に離間して固定壁１２の側面に取付けられた一対のコイン係止部１６と、固定壁１２に接近する接近位置及びコイン係止部１６の先端１６Ａから基準厚さＴｓよりも離間した位置の間で可動とされた可動壁１８と、コイン係止部１６に係止されるコイン１４に固定壁１２側から当接して可動壁１８の方向に押出すためのコイン押出し部材２０と、を有してなり、コイン押出し部材２０が、コイン係止部１６のコイン１４を介して被駆動部材２４を駆動するように構成されている。【選択図】図１
2005292930.tif 000002
【特許請求の範囲】
【請求項１】
略垂直に配置された固定壁と、コインをその径方向両端部近傍において下方から支持して係止するように、該コインの基準直径よりも僅かに小さい間隔で水平方向に離間して前記固定壁の側面に取付けられた一対のコイン係止部と、前記固定壁に対し前記コインの基準厚さよりも僅かに大きな隙間を残して接近する接近位置及び前記コイン係止部における前記固定壁の反対側の先端から前記基準厚さよりも離間した離間位置の間で可動とされた可動壁と、前記コイン係止部に係止されるコインに前記固定壁側から当接して前記可動壁の方向に押出すためのコイン押出し部材と、該コイン押出し部材に押出されて前記一対のコイン係止部の先端から落下するコインを収受側に案内し、前記基準直径よりも直径が小さく、前記一対のコイン係止部の間から落下するコインを返却側に案内するガイドと、前記可動壁に係合された被駆動部材と、を有してなり、前記可動壁には前記接近位置において、前記コイン押出し部材が挿通可能である開口部が形成され、前記コイン押出し部材が、前記コイン係止部のコインを介して前記被駆動部材を駆動するように構成されたことを特徴とするコイン収受装置。
【請求項２】
請求項１において、
前記可動壁を前記離間位置に係止するためのラッチ機構が備えられたことを特徴とするコイン収受装置。
【請求項３】
請求項１又は２において、
前記コイン押出し部材は、略垂直な軸廻りに回転自在とされ、該コイン押出し部材をコインの押出し方向と異なる方向から付勢して回転駆動することにより、前記コイン係止部に係止されるコインを押出すように構成されたことを特徴とするコイン収受装置。
【発明の詳細な説明】
【技術分野】
【０００１】
本発明は、所定のコインが投入されることによりロック機構等が駆動されるコイン収受装置に関する。
【背景技術】
【０００２】
従来、例えば、自転車を自転車置き場の所定の位置に固定するための自転車施錠装置やコインロッカーにおける開錠／施錠等の様々な用途にコイン収受装置が使用されている。（例えば、特許文献１参照）。
【０００３】
このようなコイン収受装置では、所定のコインに対し、直径及び厚さが同等以下であるコインだけが投入口を通過できるようになっており、コインは投入口において選別が行われて内部に投入される。投入されたコインはガイドに案内されつつ落下し、ガイドの一部を構成する第１の揺動部材と、第２の揺動部材と、の間に案内される。コインは直径が所定の基準直径と同等である場合、第１の揺動部材及び第２の揺動部材に径方向両側から挟まれて係止される。
【０００４】
尚、直径が基準直径に対し同等以下であるコインが投入された場合、コインは、第１の揺動部材と、第２の揺動部材と、の間に係止されることなく、更に落下して返却側に案内されるようになっている。
【０００５】
第２の揺動部材には、施錠機構等の被駆動部材が連結されており、鍵、ボタン等を介して第１の揺動部材を人力等で駆動することにより、コインを介して第２の揺動部材、被駆動部材も連動して駆動され、開錠や施錠等が行われるようになっている。
【０００６】
第１及び第２の揺動部材の揺動に伴い、コインも初期の係止位置から離間した位置に移動し、第１及び第２の揺動部材から解放されて落下し、収受側に案内されるようになっている。
【０００７】
このように、従来のコイン収受装置は、第１及び第２の揺動部材がコインの大きさを選別する機能と、施錠機構等を駆動する機能と、を兼ねており構造が簡単でコンパクトであった。特に、第１及び第２の揺動部材がコインを径方向両側から挟む構成であるため、コインの厚さ方向にコンパクトであった。
【０００８】
【特許文献１】実開昭５９−２８７８０号公報
【発明の開示】
【発明が解決しようとする課題】
【０００９】
しかしながら、第１及び第２の揺動部材は、滑らかに揺動できるように所定量の遊びを有して取付けられるため、第１及び第２の揺動部材で直径が基準直径と同等のコインを高精度で選別することは困難であった。又、第１及び第２の揺動部材の間等にコインが詰まってしまうことがあった。
【００１０】
尚、例えば電気的、光学的なセンサ等を用いれば、直径が基準直径と同等のコインを高精度で選別しうるが、構造が複雑となり、コストが増加するという問題がある。又、コイン収受装置を設置するために電気配線等が必要となり、それだけ汎用性が低くなる。特に、屋外の自転車置き場等では、設置コストが大幅に増加することとなる。
【００１１】
本発明は、以上の問題点に鑑みてなされたものであって、コインを高精度で選別して被駆動部材を駆動することができ、且つ、コインが詰まりにくく、低コストで汎用性が高いコイン収受装置を提供することを目的とする。
【課題を解決するための手段】
【００１２】
本発明は、略垂直に配置された固定壁と、コインをその径方向両端部近傍において下方から支持して係止するように、該コインの基準直径よりも僅かに小さい間隔で水平方向に離間して前記固定壁の側面に取付けられた一対のコイン係止部と、前記固定壁に対し前記コインの基準厚さよりも僅かに大きな隙間を残して接近する接近位置及び前記コイン係止部における前記固定壁の反対側の先端から前記基準厚さよりも離間した離間位置の間で可動とされた可動壁と、前記コイン係止部に係止されるコインに前記固定壁側から当接して前記可動壁の方向に押出すためのコイン押出し部材と、該コイン押出し部材に押出されて前記一対のコイン係止部の先端から落下するコインを収受側に案内し、前記基準直径よりも直径が小さく、前記一対のコイン係止部の間から落下するコインを返却側に案内するガイドと、前記可動壁に係合された被駆動部材と、を有してなり、前記可動壁には前記接近位置において、前記コイン押出し部材が挿通可能である開口部が形成され、前記コイン押出し部材が、前記コイン係止部のコインを介して前記被駆動部材を駆動するように構成されたことを特徴とするコイン収受装置により上記課題を解決したものである。
【００１３】
尚、前記可動壁を前記離間位置に係止するためのラッチ機構を備えるとよい。
【００１４】
又、前記コイン押出し部材を、略垂直な軸廻りに回転自在とし、該コイン押出し部材をコインの押出し方向と異なる方向から付勢して回転駆動することにより、前記コイン係止部に係止されるコインを押出すように構成してもよい。
【発明の効果】
【００１５】
本発明は、コインの大きさを正確に選別し、且つ、コインの詰まりを防止することができる。
【発明を実施するための最良の形態】
【００１６】
以下、本発明の第１実施形態について図面を参照して詳細に説明する。
【００１７】
図１及び図２に示されるように、本第１実施形態に係るコイン収受装置１０は、略垂直に配置された固定壁１２と、コイン１４をその径方向両端部近傍において下方から支持して係止するように、該コインの基準直径Ｄｓよりも僅かに小さい間隔ｄで水平方向に離間して前記固定壁１２の側面に取付けられた一対のコイン係止部１６と、固定壁１２に対しコイン１４の基準厚さＴｓよりも僅かに大きな隙間を残して接近する接近位置及びコイン係止部１６における固定壁１２の反対側の先端１６Ａから基準厚さＴｓよりも離間した位置の間で可動とされた可動壁１８と、コイン係止部１６に係止されるコイン１４に固定壁１２側から当接して可動壁１８の方向に押出すためのコイン押出し部材２０と、コイン押出し部材２０に押出されて一対のコイン係止部１６の先端１６Ａから落下するコイン１４を収受側Ｓｉに案内し、基準直径Ｄｓよりも直径が小さく、一対のコイン係止部１６の間から落下するコインを返却側Ｓｏに案内するガイド２２と、可動壁１２に係合された被駆動部材２４と、を有してなり、可動壁１８には前記接近位置において、コイン押出し部材２０が挿通可能である開口部１８Ａが形成され、コイン押出し部材２０が、コイン係止部１６のコイン１４を介して被駆動部材２４を駆動するように構成されたことを特徴としている。他の構成については、従来のコイン収受装置と同様であるので、説明を適宜省略することとする。
【００１８】
固定壁１２は、板状体でコイン押出し部材２０が挿通可能である開口部１２Ａが形成されている。
【００１９】
コイン係止部１６は、具体的には一対のピン状の部材で一端において固定壁１２の側面に支持され、反対側の先端１６Ａが可動壁１８側に突出している。
【００２０】
可動壁１８は、板状体で上端近傍においてピン２６を介して揺動自在に支持されている。又、可動壁１８は、ばね２８により固定壁１２側に付勢されており、常態でストッパ３０に当接し、接近位置に保持されるようになっている。
【００２１】
又、コイン収受装置１０には、可動壁１８を離間位置に係止するためのラッチ機構３２が備えられている。ラッチ機構３２は、具体的には、上下方向に移動自在とされた係止部材３４と、係止部材３４を上方に付勢するばね３６と、係止部材３４に上側から当接し、係止部材３４を上限位置に保持するストッパ３８と、を有している。
【００２２】
係止部材３４は、その上限位置において、上端が可動壁１８の下端の揺動軌道よりも上方に若干突出するように配置されている。又、係止部材３４は、その上端近傍の固定壁１２側の面がテーパ面３４Ａとなっており、可動壁１８が接近位置から離間位置側に揺動してテーパ面３４Ａに当接することによりばね３６の付勢力に抗して下降し、可動壁１８が通過すると上方に再度上昇するようになっている。
【００２３】
尚、係止部材３４における上端近傍の固定壁１２側と反対側の面は略垂直な面となっており、可動壁１８が接近位置側に揺動して当接しても、下降することはなく、これにより、可動壁１８を離間位置に保持するようになっている。又、係止部材３４には図示しない開錠機構等に係合されており、開錠機構等に連動してばね３６の付勢力に抗して、下降し、可動壁１８を解放するようになっている。
【００２４】
ガイド２２は、略垂直に配置された板状体で一対のコイン係止部１６の先端１６Ａの下方近傍に配置され、一対のコイン係止部１６の間から落下するコインを固定壁１２側である返却側Ｓｏに案内し、コイン係止部１６の先端１６Ａから落下するコイン１４を固定壁１２の反対側である収受側Ｄｉに案内するように構成されている。尚、コイン係止部１６と、ラッチ機構３２と、は図１における紙面の方向に離間して配置されており、落下するコイン１４にラッチ機構３２は干渉しない。
【００２５】
被駆動部材２４は、リニアガイド４０により摺動自在に支持されると共に、リンク４２を介して可動壁１８に係合され、可動壁１８の揺動に連動して突出／引込み自在とされている。被駆動部材２４は、突出位置で、固定部材４４及び可動部材４６に挿通し、可動部材４６の動きを規制し、引込み位置で可動部材４６から離脱し、可動部材４６を解放するように構成されている。固定部材４４及び可動部材４６を、例えば、自転車施錠装置やコインロッカーの施錠機構の一部として用いることで、施錠を行うことができる。
【００２６】
尚、コイン収受装置１０には、図示しない投入口（図示省略）が備えられており、直径が基準直径Ｄｓと同等以下で、且つ、厚さが基準厚さＴｓと同等以下のコインだけが内部に投入されるようになっている。
【００２７】
次に、コイン収受装置１０の作用について説明する。
【００２８】
投入口からコイン１４が投入されると、コイン１４は固定壁１２及び可動壁１８により厚さ方向の動きを規制されつつコイン係止部１６まで落下し、一対のコイン係止部１６により下方から支持されて係止される。
【００２９】
尚、コイン１４の直径が、一対のコイン係止部１６の間隔ｄよりも小さい場合、図３に示されるように、コイン１４は、一対のコイン係止部１６の間から落下し、ガイド２２により返却側Ｓｏに案内される。
【００３０】
次に、人力等によりコイン押出し部材２０を固定壁１２側から可動壁１８側に付勢すると、図４に示されるように、コイン押出し部材２０は、コイン１４を介して可動壁１８を離間位置側に揺動させる。
【００３１】
可動壁１８がラッチ機構３２の係止部材３４のテーパ面３４Ａに当接すると、係止部材３４は、ばね３６の付勢力に抗して下方に引き込み、可動壁１８が通過すると再度上方に突出する。尚、係止部材３４における上端近傍の固定壁１２側と反対側の面は略垂直な面となっているので、可動壁１８が接近位置側に揺動して当接しても、係止部材３４が下降することはなく、可動壁１８は離間位置に保持される。
【００３２】
コイン１４は、コイン係止部１６の先端１６Ａから落下し、ガイド２２により収受側Ｓｉに案内される。可動壁１８は、ラッチ機構３２により離間位置に保持され、コイン係止部１６の先端１６Ａとの間には、基準厚さＴｓよりも大きい隙間が形成されているので、コイン１４は、コイン係止部１６の先端１６Ａと、可動壁１８と、の間に挟まれることなく確実に落下して収受側Ｓｉに案内される。
【００３３】
可動壁１８が離間位置側に揺動すると、被駆動部材２４は、可動壁１８に連動して突出し、固定部材４４及び可動部材４６に挿通して可動部材４６の動きを規制する。
【００３４】
開錠機構等により、ラッチ機構３２の係止部材３４を下降させることで、可動壁１８は接近位置に揺動し、これに連動して被駆動部材２４は、引込み、可動部材４４を解放する。
【００３５】
尚、コイン１４の直径が一対のコイン係止部１６の間隔ｄよりも小さく、コイン１４が一対のコイン係止部１６の間から落下した場合は、コイン押出し部材２０を固定壁１２側から可動壁１８側に付勢しても、コイン押出し部材２０は、可動壁１８の開口部１８Ａに挿通し、可動壁１８は離間位置側に揺動しない。従って、被駆動部材２４は、可動部材４６の動きを規制しない。
【００３６】
このように、一対のコイン係止部１６により、直径が基準直径Ｄｓと同等であるコインと、これよりも直径が小さいコインと、を選別し、直径が基準直径Ｄｓと同等であるコイン１４が投入された場合に限定して、被駆動部材２４を駆動することができる。
【００３７】
又、コイン収受装置１０は、一対のコイン係止部１６が固定壁１２に固定された構造であるので、これら一対のコイン係止部１６を正規の間隔ｄに高精度で容易に設置することができ、低コストである。更に、一対のコイン係止部１６が固定壁１２に固定された構造であるので、長期間使用しても、間隔ｄのずれが生じにくい。従って、直径が基準直径Ｄｓと同等であるコインと、これよりも直径が小さいコインと、を高精度で選別することができ、コイン収受装置１０は信頼性が高い。
【００３８】
又、コインを選別する機能を担う一対のコイン係止部１６の構造が簡単であり、これらコイン係止部１６が固定設置されているので、コイン収受装置１０は低コストである。
【００３９】
又、コイン収受装置１０は、コイン押出し部材２０がコイン１４を介して可動壁１８を揺動させる際、コイン１４が固定壁１２から離間するので、コイン１４が固定壁１２と、可動壁１８と、の間に挟まれることがなく、コイン詰まりが発生しにくい。更に、上述のように、可動壁１８は、ラッチ機構３２により離間位置に保持されるので、コイン１４は、コイン係止部１６の先端１６Ａと、可動壁１８と、の間にも挟まれることもなく、この点でもコイン詰まりが発生しにくい。
【００４０】
次に、本発明の第２実施形態について説明する。
【００４１】
図５に示されるように、本第２実施形態に係るコイン収受装置５０は、前記第１実施形態に対し、コイン押出し部材が、略垂直な軸廻りに回転自在とされ、該コイン押出し部材をコインの押出し方向と異なる方向から付勢して回転駆動することにより、コイン係止部に係止されるコインを押出すように構成されたことを特徴としている。コインを選別する原理、被駆動部材を駆動する原理については、前記第１実施形態に係るコイン押出し部材と同様であるので同様の構成については説明を適宜省略する。
【００４２】
尚、コイン収受装置５０は、自転車施錠装置であり、コインを介して可動壁を揺動させることにより開錠を行うものである。
【００４３】
図５において、固定壁５２、コイン係止部５６、可動壁５８、ガイド６２、開口部５２Ａ、５８Ａは、前記第１実施形態に係る固定壁１２、コイン係止部１６、可動壁１８、ガイド２２、開口部１２Ａ、１８Ａと同様の構造、機能を有しているので、これらについては説明を省略する。
【００４４】
コイン押出し部材６０は、基部６０Ａと、基部６０Ａから上方に突出したピン６０Ｂと、基部６０Ａから下方に突出した下部突起６０Ｃと、コイン押出し部６０Ｄと、を有し、ピン６０Ｂの軸廻りに回転自在とされている。コイン押出し部６０Ｄは、回転しつつ固定壁５２の開口部５２Ａ、可動壁５８の開口部５８Ａに挿入されるように設置されている。
【００４５】
又、下部突起６０Ｃの近傍にはボタン７０が設けられている。ボタン７０は、コインの押出し方向に対して略垂直な方向に下部突起６０Ｃを押し込むことで、コイン押出し部材６０を回転駆動するようになっている。
【００４６】
尚、ボタン７０の近傍上側にはコイン投入口７２が設けられている。コイン投入口７２の内側近傍には、一対のピン７４が設置され、直径が基準直径Ｄｓと同等以下のコインだけが通過できるようになっている。
【００４７】
ガイド６２における収受側Ｓｉの下方近傍には収受箱７６が設置されている。一方、ガイド６２の返却側Ｓｏ近傍下方には、返却口７８にコインを案内する斜板６２Ａが設置されている。
【００４８】
又、可動壁５８の下端には、下方に突出する第１の突部５８Ｂと、第２の突部５８Ｃと、が設けられている。可動壁５８は、第１の突部５８Ｂにおいてラッチ機構７９に係合され、離間位置に係止されるようになっている。尚、ラッチ機構７９は、上方に突出するピン７９Ａの軸廻りに回転して可動壁５８を係止／解放するように構成されている。又、可動壁５８は、第２の突部５８Ｃにおいて被駆動部材６４に間接的に係合されている。
【００４９】
図６に示されるように、被駆動部材６４は、略丸棒状体で、リニアガイド８０により摺動自在に支持されると共に、リンク８２を介して可動壁５８に係合されている。被駆動部材６４は、突出位置で、可動部材８６に挿通し、可動部材８６の動きを規制し、引込み位置で可動部材８６から離脱し、可動部材８６を解放するように構成されている。
【００５０】
図７に示されるように、可動部材８６は、細長い板状体で、先端近傍には被駆動部材６４が挿通する孔８６Ａが形成されている。又、可動部材８６の基端近傍には孔８６Ｂが形成されている。尚、この孔８６Ｂには、ロープ８８の一端が結合され、ロープ８８の他端は固定部材９０に固定されている。
【００５１】
リンク８２は、ピン８２Ａの軸周りに回転することにより、被駆動部材６４を進退動させるように構成されている。又、リンク８２は、可動部材８６の先端が差し込まれる差込部９１に配設されたリンク９２に係合されている。リンク９２は、ばね９４でリンク８２と反対側に付勢されており、可動部材８６を差込部９１に差込んで、ばね９４の付勢力に抗してリンク９２を押込み、リンク８２を回転させることにより、被駆動部材６４が突出し、可動部材８６を固定するように構成されている。
【００５２】
又、リンク８２は、ラッチ機構９６に係合されている。ラッチ機構９６は、被駆動部材６４が突出して可動部材８６を固定する位置にリンク８２を係止するように構成されている。リンク８２、ラッチ機構９６は、いずれも可動壁５８に係合されている。可動壁５８が接近位置から離間位置に揺動すると、可動壁５８の第２の突部５８Ｃが、第１のラッチ機構９６を回転駆動し、図８に示されるように、リンク８２を解放するように構成されている。又、可動壁５８は、離間位置まで揺動すると、リンク８２を回転駆動して被駆動部材６４を引き込ませるように構成されている。
【００５３】
次に、コイン収受装置５０の作用について説明する。
【００５４】
コイン収受装置５０は、可動部材８６をロープ８８と共に自転車（図示省略）の車輪の隙間等に挿通させてから、差込部９１に可動部材８６を差し込むことにより、該可動部材８６が被駆動部材６４で固定され、自転車が施錠される。
【００５５】
又、投入口７２からコイン１４を投入し、ボタン７０を押し込んで、コイン係止部５６に係止されるコイン１４を介して、コイン押出し部材６０が可動壁５８を離間位置まで揺動させることにより、被駆動部材６４が引き込み、可動部材８６が解放される。尚、この際、可動部材８６は、リンク９２と共にばね９４に付勢されてリンク８２から離反する方向に移動し、孔８６Ａが、被駆動部材６４の進退動軌道からずれるので、誤って可動部材８６が再度固定されることがない。
【００５６】
又、コイン１４は、コイン係止部５６の先端から落下し、ガイド６２に案内されて収受箱７６に収受される。尚、直径が一対のコイン係止部５６の間隔ｄよりも小さいコインは、斜板６２Ａにより返却口７８に案内される。
【００５７】
このようにコイン収受装置５０は、コイン押出し部材６０が、コイン１４を厚さ方向に押し出す構成であるにも拘わらず、コイン押出し部材６０が略垂直な軸廻りに回転自在とされ、押出し方向と異なる方向にコイン押出し部材６０を付勢して回転駆動することができるので、コイン１４の厚さ方向に対して垂直な、投入口７２の開口方向にボタン７０が設置されている。即ち、コイン１４の投入及びボタン７０の押し込み操作を同じ方向から行うことができ、使い勝手が良い。
【００５８】
尚、上記実施形態において、コイン収受装置１０、５０の用途として自転車施錠装置、コインロッカーが例示されているが、例えば、傘置き器具における傘の固定／解放等の様々な用途に本発明は適用可能である。
【００５９】
又、上記実施形態において、コイン係止部材１６、５６はピン状の部材であるが、コインを両端近傍において下方から支持して係止できれば、コイン係止部材の形状は特に限定されない。同様に、固定壁、可動壁の形状も特に限定されない。
【産業上の利用可能性】
【００６０】
本発明は、所定のコインが投入されることによりロック機構等が駆動されるコイン収受装置に利用することができる。
【図面の簡単な説明】
【００６１】
【図１】本発明の第１実施形態にかかるコイン収受装置の要部構造を模式的に示す側断面図
【図２】図１におけるII−II線に沿う断面図
【図３】一対のコイン係止部の間隔よりも直径が小さいコインの落下を模式的に示す断面図
【図４】同コイン収受装置の可動壁が離間位置まで揺動した状態を模式的に示す側断面図
【図５】本発明の第２実施形態にかかるコイン収受装置の要部構造を模式的に示す分解斜視図
【図６】同コイン収受装置の被駆動部材周辺の構造を拡大して示す平面図
【図７】同側面図
【図８】同被駆動部材による開錠作用を周辺示す平面図
【符号の説明】
【００６２】
１０、５０…コイン収受装置
１２、５２…固定壁
１２Ａ、５２Ａ…開口部
１４…コイン
１６、５６…コイン係止部
１６Ａ…先端
１８、５８…可動壁
１８Ａ、５８Ａ…開口部
２０、６０…コイン押出し部材
２２、６２…ガイド
２４、６４…被駆動部材
３２、７９…ラッチ機構
Ｄｓ…基準直径
ｄ…間隔
Ｔｓ…基準厚さ
Ｓｉ…収受側
Ｓｏ…返却側
【図１】
2005292930.tif 000003
【図２】
2005292930.tif 000004
【図３】
2005292930.tif 000005
【図４】
2005292930.tif 000006
【図５】
2005292930.tif 000007
【図６】
2005292930.tif 000008
【図７】
2005292930.tif 000009
【図８】
2005292930.tif 000010